(57)【要約】【課題】一つの無線ＬＡＮ装置へのアクセス集中および異なるサービスの要求に対応でき、安定した通信品質が得られアクセスを効率化できること。【解決手段】アクセス端末３００が無線接続される無線ＬＡＮ装置１００，２００をＡＰ管理サーバ１０により管理する。無線ＬＡＮ装置１００，２００は、一つのサブネットＡ内に通信サービス（ＶｏＩＰ通信、Ｈｔｔｐ通信）別に複数台＃Ａ１，＃Ａ２が配置され、アクセス端末３００に対する無線接続の経路が通信サービス毎に冗長化されている。ＡＰ管理装置１０は、アクセス端末３００が要求する通信サービスに対応した無線ＬＡＮ装置１００，２００をアクセス端末３００に無線接続させる。【選択図】図１
2007243803.tif 000002
【特許請求の範囲】
【請求項１】
無線ＬＡＮアクセス端末が無線接続される無線ＬＡＮ装置を無線ＬＡＮ管理装置により管理する無線ＬＡＮシステムにおける無線ＬＡＮ経路制御方式において、
前記無線ＬＡＮ装置は、一つのサブネット内に所定のサービス種別を有して複数台が配置され、前記無線ＬＡＮアクセス端末に対する無線接続の経路が前記サービス種別毎に冗長化され、
前記無線ＬＡＮ管理装置は、前記無線ＬＡＮアクセス端末が要求する所定のサービス種別に対応した前記無線ＬＡＮ装置を前記無線ＬＡＮアクセス端末に無線接続させることを特徴とする無線ＬＡＮ経路制御方式。
【請求項２】
一つのサブネット内に複数配置され、無線ＬＡＮアクセス端末と接続される無線の接続経路が所定のサービス種別毎に冗長化された複数の無線ＬＡＮ装置と、前記無線ＬＡＮアクセス端末との間の前記接続経路を制御する無線ＬＡＮ管理装置であって、
前記無線ＬＡＮアクセス端末が要求する所定のサービス種別に対応した前記無線ＬＡＮ装置を当該無線ＬＡＮアクセス端末に無線接続させる経路制御手段を備えたことを特徴とする無線ＬＡＮ管理装置。
【請求項３】
前記経路制御手段は、
前記無線ＬＡＮアクセス端末が要求する所定のサービスを提供するサービスサーバにアクセスした際の当該サービスサーバからの問い合わせにより、当該無線ＬＡＮアクセス端末が要求したサービス種別に対応した接続先の前記無線ＬＡＮ装置への接続経路を前記サービスサーバを介して前記無線ＬＡＮアクセス端末に返答することを特徴とする請求項２に記載の無線ＬＡＮ管理装置。
【請求項４】
一つのサブネット内に複数配置され、所定のサービス種別毎に冗長化された複数の無線ＬＡＮ装置に対して無線接続する無線ＬＡＮアクセス端末であって、
要求するサービス種別の情報を前記無線ＬＡＮ装置を介してネットワーク側に送出するサービス要求手段と、
前記要求したサービス種別の返答として前記無線ＬＡＮ装置から受信したメッセージに含まれる接続経路に該当する無線ＬＡＮ装置への経路接続を行う接続制御部を備えたことを特徴とする無線ＬＡＮアクセス端末。
【請求項５】
一つのサブネット内に複数配置され、無線ＬＡＮアクセス端末と接続される無線の接続経路が所定のサービス種別毎に冗長化された複数の無線ＬＡＮ装置と、前記無線ＬＡＮアクセス端末との間の前記接続経路を制御する無線ＬＡＮ経路制御方法であって、
要求するサービス種別の情報を前記無線ＬＡＮ装置を介してネットワーク側に送出するサービス要求工程と、
前記ネットワーク側から、前記無線ＬＡＮアクセス端末が要求する所定のサービス種別に対応した前記無線ＬＡＮ装置を返答する経路指示工程と、
前記経路指示工程により返答された前記無線ＬＡＮ装置に、前記無線ＬＡＮアクセス端末が無線接続する経路接続工程と、
を含むことを特徴とする無線ＬＡＮ経路制御方法。
【発明の詳細な説明】
【技術分野】
【０００１】
この発明は、無線ＬＡＮ装置、無線ＬＡＮ管理装置、無線ＬＡＮアクセス端末および無線ＬＡＮアクセス方法にかかり、特に、アクセスポイント（ＡＰ）に冗長化して配置される無線ＬＡＮ装置に対する無線ＬＡＮアクセス端末の接続経路を制御する無線ＬＡＮ経路制御方式、無線ＬＡＮ管理装置、無線ＬＡＮアクセス端末および無線ＬＡＮ経路制御方法に関する。
【背景技術】
【０００２】
近年、通信基盤がＩＰ化されてきたことに伴って、ネットワーク上でのＩＰ通信サービスが一般的になってきている。また、携帯電話の普及や無線機能を装備したＰＣ（パーソナルコンピュータ）の普及に伴い、企業内の構内無線ＬＡＮ通信や、スポット的な公衆の無線ＬＡＮサービスが低料金で提供されてきている。このような状況から、今後、無線ＬＡＮを用いたアクセスはインターネット接続に限らず、電子メールの送受信やＶｏＩＰ通信などさまざまなサービス需要が伸びると想定されている。
【０００３】
従来の無線ＬＡＮ通信では、無線ＬＡＮアクセス端末（ＰＣ等）が複数の無線ＬＡＮ装置（ＡＰ：アクセスポイント）を検出する能力を有しており、この無線ＬＡＮアクセス端末は、ＬＡＮ無線強度が強い無線ＬＡＮ装置を自動的にアクセス先として決定して、ＩＰ通信を実施していた。また、無線ＬＡＮアクセス端末の移動により、通信中の無線ＬＡＮ装置との電波強度が弱まると自動的に最適な無線ＬＡＮ装置を検出し、同一サブネット内ではハンドオーバを行い、サブネットをまたがる場合は再接続を行うことにより通信を継続していた。これらハンドオーバや再接続を行うタイミングは、無線電波強度の低下に基づいて無線ＬＡＮアクセス端末が実行している（例えば、下記特許文献１、特許文献２参照。）。
【０００４】
【特許文献１】特開２００３−３３８８２９号公報
【特許文献２】特許第３５２９６２１号公報
【発明の開示】
【発明が解決しようとする課題】
【０００５】
しかしながら、無線ＬＡＮを経由したＩＰネットワークへのアクセスでは、ＲＡＤＩＵＳサーバ等を用いたアクセス認証が行われているが、無線ＬＡＮ装置へのアクセス数制限などは実施していないため、特定の無線ＬＡＮ装置に対する無線ＬＡＮアクセス端末のアクセス集中や、大容量ファイルのダウンロード等を要因として他の無線ＬＡＮアクセス端末（他ユーザ）に対する通信品質の低下や通信処理遅延の問題が生じるようになってきている。
【０００６】
この対策として、無線ＬＡＮ装置の負荷を制御する無線ＬＡＮ装置コントローラの提供が考えられるが、無線ＬＡＮ装置コントローラは、一つの無線ＬＡＮ装置に対するアクセス負荷を防ぐためにこの無線ＬＡＮ装置の利用帯域を管理するだけでは、不十分である。
【０００７】
ＩＰネットワークのサービスでは既に各種のサービスが提供されており、無線ＬＡＮにおいてこれら各種のサービスへの対応は現在のところまだ不十分である。提供されているサービスのうち、通信サービスとしては、Ｈｔｔｐ通信に限らず、ｆｔｐ、ＶｏＩＰ通信などがある。一つの無線ＬＡＮ装置が各種のサービスの混在を許容すると、例えば、あるユーザが大容量ファイルのダウンロードを行った際に、他のユーザが行っていたＶｏＩＰ通信の通信品質が劣化する問題を有している。さらに、一つの無線ＬＡＮ装置に対して複数の無線ＬＡＮアクセス端末のアクセスが集中して生じる通信処理遅延についても対策が必要となる。
【０００８】
この発明は、上述した従来技術による問題点を解消するため、一つの無線ＬＡＮ装置へのアクセス集中および異なるサービスの要求に対応でき、安定した通信品質が得られアクセスを効率化できる無線ＬＡＮ経路制御方式、無線ＬＡＮ管理装置、無線ＬＡＮアクセス端末および無線ＬＡＮ経路制御方法を提供することを目的とする。
【課題を解決するための手段】
【０００９】
上述した課題を解決し、目的を達成するため、この発明による無線ＬＡＮ経路制御方式は、無線ＬＡＮアクセス端末が無線接続される無線ＬＡＮ装置を無線ＬＡＮ管理装置により管理する無線ＬＡＮシステムにおける無線ＬＡＮ経路制御方式において、前記無線ＬＡＮ装置は、一つのサブネット内に所定のサービス種別を有して複数台が配置され、前記無線ＬＡＮアクセス端末に対する無線接続の経路が前記サービス種別毎に冗長化され、前記無線ＬＡＮ管理装置は、前記無線ＬＡＮアクセス端末が要求する所定のサービス種別に対応した前記無線ＬＡＮ装置を前記無線ＬＡＮアクセス端末に無線接続させることを特徴とする。
【００１０】
また、この発明による無線ＬＡＮ管理装置は、一つのサブネット内に複数配置され、無線ＬＡＮアクセス端末と接続される無線の接続経路が所定のサービス種別毎に冗長化された複数の無線ＬＡＮ装置と、前記無線ＬＡＮアクセス端末との間の前記接続経路を制御する無線ＬＡＮ管理装置であって、前記無線ＬＡＮアクセス端末が要求する所定のサービス種別に対応した前記無線ＬＡＮ装置を当該無線ＬＡＮアクセス端末に無線接続させる経路制御手段を備えたことを特徴とする。
【００１１】
また、この発明による無線ＬＡＮアクセス端末は、一つのサブネット内に複数配置され、所定のサービス種別毎に冗長化された複数の無線ＬＡＮ装置に対して無線接続する無線ＬＡＮアクセス端末であって、要求するサービス種別の情報を前記無線ＬＡＮ装置を介してネットワーク側に送出するサービス要求手段と、前記要求したサービス種別の返答として前記無線ＬＡＮ装置から受信したメッセージに含まれる接続経路に該当する無線ＬＡＮ装置への経路接続を行う接続制御部を備えたことを特徴とする。
【００１２】
また、この発明による無線ＬＡＮ経路制御方法は、一つのサブネット内に複数配置され、無線ＬＡＮアクセス端末と接続される無線の接続経路が所定のサービス種別毎に冗長化された複数の無線ＬＡＮ装置と、前記無線ＬＡＮアクセス端末との間の前記接続経路を制御する無線ＬＡＮ経路制御方法であって、要求するサービス種別の情報を前記無線ＬＡＮ装置を介してネットワーク側に送出するサービス要求工程と、前記ネットワーク側から、前記無線ＬＡＮアクセス端末が要求する所定のサービス種別に対応した前記無線ＬＡＮ装置を返答する経路指示工程と、前記経路指示工程により返答された前記無線ＬＡＮ装置に、前記無線ＬＡＮアクセス端末が無線接続する経路接続工程と、を含むことを特徴とする。
【００１３】
上記構成によれば、無線ＬＡＮアクセス端末が、所定のサービスを受けるとき、無線ＬＡＮ管理装置の経路制御により、このサービス種別毎に対応して冗長化された無線ＬＡＮ装置の一つに経路接続される。これにより、一つの無線ＬＡＮ装置に対して複数の無線ＬＡＮアクセス端末からのアクセスの集中を防ぐ。
【発明の効果】
【００１４】
本発明にかかる無線ＬＡＮ装置によれば、無線ＬＡＮアクセス端末と無線ＬＡＮ装置との間の接続経路が通信サービス等のサービス種別毎に冗長化されており、無線ＬＡＮ管理装置は、無線ＬＡＮ装置の経路をサービス種別毎に制御する。これにより、一つの無線ＬＡＮ装置に複数の無線ＬＡＮアクセス端末からのアクセスが集中することによる通信遅延の増大を防ぐことができるようになる。また、同一無線ＬＡＮ装置内でサービス属性の異なる通信の混在がないため、一方のサービスが他方のサービスの品質に影響を与えることを防止でき、安定した通信品質でかつ効率的な無線ＬＡＮアクセスが行えるという効果を奏する。
【発明を実施するための最良の形態】
【００１５】
以下に添付図面を参照して、この発明にかかる無線ＬＡＮ経路制御方式、無線ＬＡＮ管理装置、無線ＬＡＮアクセス端末および無線ＬＡＮ経路制御方法の好適な実施の形態を詳細に説明する。
【００１６】
（発明の概要）
図１は、本発明による無線ＬＡＮ通信システムの全体構成を示す図である。無線ＬＡＮシステム１は、ＩＰ網５を中心にした一方がサーバ側であり、他方は無線ＬＡＮ装置を介して配置されるクライアント側である。
【００１７】
ＩＰ網５を中心としたサーバ側には、ＡＰ管理サーバ１０と、サービスサーバとしてのＨｔｔｐ通信サービス用のＷＥＢサーバ２０およびＶｏＩＰ通信サービス用のＳＩＰサーバ３０が配置されている。ＡＰ管理サーバ１０は、ＷＥＢサーバ２０およびＳＩＰサーバ３０と連携し、サービス種別等に基づき、アクセスポイント（ＡＰ）に配置されている無線ＬＡＮ通信装置１００，２００を制御する。例えば、サービス毎に無線ＬＡＮアクセス端末（アクセス端末）３００の接続先を無線ＬＡＮ装置１００あるいは無線ＬＡＮ装置２００から選択する接続経路の制御を行う。
【００１８】
ＩＰ網５を中心としたクライアント側には、ＩＰ網５に対してルータ６およびレイヤ２スイッチ（Ｌ２ＳＷ）７を介して無線ＬＡＮ装置１００，２００が配置されている。この発明では、一つのサブネットＡ（ＡＰ）に複数の無線ＬＡＮ装置１００，２００を配置する。そして、これら無線ＬＡＮ装置１００，２００は、サービス種別等に応じて複数設ける。図示の例では、サーバ側のサービスに対応して、無線ＬＡＮ装置１００はＶｏＩＰ通信サービス用として設け、無線ＬＡＮ装置２００はＨｔｔｐ通信サービス用として設ける。一つのサブネットＡあるいはＢには、少なくとも２台の無線ＬＡＮ装置１００，２００を設ければよく、図１のサブネットＡに示したように、例えば４台の無線ＬＡＮ装置（＃Ａ１，＃Ａ２，＃Ｂ１，＃Ｂ２）を設けてもよい。
【００１９】
アクセス端末３００は、ある一つのサブネットＡの無線ＬＡＮ装置１００あるいは無線ＬＡＮ装置２００に接続し、通信を行う。このアクセス端末３００は、図示のように、音声通信（ＶｏＩＰ通信サービス）や、データ通信（Ｈｔｔｐ通信サービス）が可能である。ある一つのサブネットＡ内において無線ＬＡＮ装置１００，２００同士はアクセス端末３００との接続についてハンドオーバを行う。このハンドオーバは、ＡＰ管理サーバ１０の制御にしたがって無線ＬＡＮ装置１００と無線ＬＡＮ装置２００との間で行われる。ここで、ある一つのサブネットＡ内における全ての無線ＬＡＮ装置＃Ａ１，＃Ａ２，＃Ｂ１，＃Ｂ２に対してアクセス端末３００が同様にアクセス可能となるよう、サブネットＡ内における全ての無線ＬＡＮ装置＃Ａ１，＃Ａ２，＃Ｂ１，＃Ｂ２の配置が予め設定されているものとする。また、アクセス端末３００は、移動等によりサブネットを超える場合には（図示の例ではサブネットＡ⇔サブネットＢ）、ＡＰ管理サーバ１０の制御によりローミングを行う。
【００２０】
上記構成によるアクセス制御の概要について説明する。アクセス端末３００が音声通信（ＶｏＩＰ通信サービス）を行うときには、ＡＰ管理サーバ１０の制御により、ＶｏＩＰ通信サービス用の無線ＬＡＮ装置１００に経路制御を行い、ＩＰ網５を介してＳＩＰサーバ３０に接続させる。また、アクセス端末３００がデータ通信（Ｈｔｔｐ通信サービス）を行うときには、ＡＰ管理サーバ１０の制御により、Ｈｔｔｐ通信サービス用の無線ＬＡＮ装置２００に経路制御を行い、ＩＰ網５を介してＷＥＢサーバ２０に接続させる。この際、アクセス端末３００が、所望しているサービスと異なるサービス用の無線ＬＡＮ装置に接続した場合には、ＡＰ管理サーバ１０の制御により、サービスに適合する無線ＬＡＮ装置に接続するためのハンドオーバを行う（図中経路Ｒ１⇔Ｒ２の切替）。
【００２１】
上記の説明では、一つのサブネット内の２台の無線ＬＡＮ装置は、１台がＶｏＩＰ通信サービス用とし、２台目がＨｔｔｐ通信サービス用としたが、これ以外に電子メールの送受信としてＳＭＴＰ通信サービス用や、ｆｔｐ通信サービス用、Ｔｅｌｎｅｔ通信サービス用等の無線ＬＡＮ装置をそれぞれ設ける構成も考えられる。また、無線ＬＡＮ装置は、通信サービスの種別毎に設けるに限らない。他のサービス種別の例を以下に列挙する。
【００２２】
１．ユーザグループ別のサービス例…ａ．組織毎、ｂ．階層クラス毎、ｃ．時間帯毎
２．ある一定期間のトラヒック量別のサービス例…ａ．直前のＮ時間毎、ｂ．前日の同時間帯毎、直前Ｎ日間の平均毎
３．接続要求のある無線ＬＡＮアクセス端末毎の条件別によるサービス例…ａ．ラウンドロビン毎、ｂ．前回通信サービス種別毎、ｃ．前回通信時間毎
以上の各種サービスへの適用の具体例は、以下に説明する各実施の形態において詳細に説明する。
【００２３】
（実施の形態１）
図２は、本発明の実施の形態１による無線ＬＡＮ通信システムの全体構成を示す図である。図１と同様の構成部には同一の符号を附してある。本発明の実施の形態１では、アクセス端末からの接続要求に基づき（ａ）、サービスサーバ（ＷＥＢサーバ２０，ＳＩＰサーバ３０）がＡＰ管理サーバ１０と連携し（ｂ）、サービスに適合した無線ＬＡＮ装置１００，２００を返答し（ｃ）、アクセス端末３００がサービスに該当する無線ＬＡＮ装置２００を経由して通信サービスを開始する（ｄ）、構成である。
【００２４】
ＡＰ管理サーバ１０は、ＡＰサービス受付機能部１１と、ＡＰ装置管理部１２と、ＡＰ装置制御部１３と、ＡＰ装置情報部１４とを備える。これら各機能部１１〜１４は、無線ＬＡＮ装置１００，２００に対する無線ＬＡＮアクセス端末３００の接続経路を制御する経路制御手段として機能する。
【００２５】
ＡＰサービス受付機能部１１は、ＷＥＢサーバ２０およびＳＩＰサーバ３０からの経路確認要求（および返答）等を受け付けるＩ／Ｆである。ＡＰ装置制御部１３は、アクセスポイント（ＡＰ）であるサブネットＡに配置されている無線ＬＡＮ装置１００，２００の制御を行う。この制御は、ＡＰ装置管理部１２の管理設定に基づき行われる。ＡＰ装置管理部１２は、ＡＰ装置情報部１４に格納されているＡＰ装置管理データ１００１を用い、無線ＬＡＮ装置１００，２００がそれぞれ設定された通信サービスを行うよう管理する。このほか、ＡＰ装置情報部１４には、ユーザ認証時に用いるユーザ管理データ（不図示）が格納されている。
【００２６】
ＡＰ装置管理データ１００１は、テーブル形式で格納されており、図示の例では、事業所番号と、ＡＰ装置（無線ＬＡＮ装置）１００，２００のそれぞれの通信サービス種別（ＶｏＩＰ、Ｈｔｔｐ）と、利用者数が格納される。利用者数の「１」は、ＡＰ装置２００の利用者が１名（アクセス端末３００が１台）を示す。
【００２７】
ＷＥＢサーバ２０は、ＷＥＢサービス受付部２１と、通信経路確認機能部２２と、ＷＥＢサービス処理部２３とを備える。ＷＥＢサービス受付部２１は、ＩＰ網５からＷＥＢサービスの要求（Ｈｔｔｐリクエスト）の受信処理を行い、通信経路確認機能部２２に対して経路確認要求を行う。通信経路確認機能部２２は、経路確認要求の受信により、ＷＥＢサービスを行う無線ＬＡＮ装置２００を管理するＡＰ管理サーバ１０に対し、経路確認要求を行う。ＷＥＢサービス処理部２３は、無線ＬＡＮ装置２００によるＷＥＢサービスを提供する。
【００２８】
ＳＩＰサーバ３０は、ＳＩＰサービス受付部３１と、通信経路確認機能部３２と、ＳＩＰサービス処理部３３とを備える。ＳＩＰサービス受付部３１は、ＩＰ網５からＳＩＰサービスの要求（ＶｏＩＰリクエスト）の受信処理を行い、通信経路確認機能部３２に対して経路確認要求を行う。通信経路確認機能部３２は、経路確認要求の受信により、ＳＩＰサービスを行う無線ＬＡＮ装置１００を管理するＡＰ管理サーバ１０に対し、経路確認要求を行う。ＳＩＰサービス処理部３３は、無線ＬＡＮ装置１００によるＳＩＰサービスを提供する。
【００２９】
無線ＬＡＮ装置１００は、ＳＩＰサービス用として設置されており、アクセス端末３００をＩＰ網５に接続する接続制御部（図示略）を備える。このほかに、アクセス受付部１０１と、ネットワーク受付部１０２と、再アクセス受付部１０３とを備える。アクセス受付部１０１は、アクセス端末３００との間のアクセスに対する処理を行う。ネットワーク受付部１０２は、ＩＰ網５側（ＳＩＰサーバ３０、あるいはＷＥＢサーバ２０）に対する接続の処理を行う。再アクセス受付部１０３は、アクセス端末３００との間の接続の切断および再アクセスに対する処理を行う。無線ＬＡＮ装置２００は、無線ＬＡＮ装置１００と同様の構成（２０１，２０２，２０３）を備え、ＷＥＢサービス用として設置されている。
【００３０】
アクセス端末３００は、サービス要求受付部３０１と、サービス要求処理部３０２と、再アクセス要求処理部３０３とを備える。サービス要求受付部３０１は、無線ＬＡＮ装置１００，２００に対して通信サービスを要求するために無線接続する。サービス要求処理部３０２は、通信サービス（ＷＥＢサービスあるいはＳＩＰサービス）の要求の処理を行う。再アクセス要求処理部３０３は、無線ＬＡＮ装置１００，２００に対するアクセスが切断されたときに再アクセスを要求する処理を行う。このアクセス端末３００は、ＰＣや携帯電話等を用いて構成され、ＷＥＢサービスあるいはＳＩＰサービスを行う機能を有している。また、無線ＬＡＮ装置１００，２００に対する無線接続（上述したハンドオーバおよびローミングを含む）は、図示しない接続制御部が行う。
【００３１】
図３は、本発明の実施の形態１による通信経路制御内容を示すシーケンス図である。実施の形態１による通信経路制御について図３を用いて説明する。アクセス端末３００は、ＷＥＢサービス（Ｈｔｔｐ通信）の開始を要求しているとする。
【００３２】
ユーザが無線ＬＡＮ機能を有したアクセス端末３００によってＩＰ通信を開始するとき、アクセス端末３００のサービス要求受付部３０１は、無線アクセス機能を用いて無線ＬＡＮ装置１００および無線ＬＡＮ装置２００を検出する。そして、固定論理により（無線ＬＡＮ強度大のＡＰを選択等）、最寄りの無線ＬＡＮ装置（ＡＰ装置）１００にアクセスを開始する。この無線ＬＡＮ装置１００は、ＳＩＰサービス（ＶｏＩＰ通信）用である。
【００３３】
そして、アクセス端末３００のサービス要求受付部３０１は、無線ＬＡＮ装置１００に対して、無線レイヤ２リンク確立Ｓ１の後、ＷＥＢサーバ２０に対するＨｔｔｐリクエストＳ２に「ＡＰ装置：１００」を設定して送信する。なお、ＳＩＰプロトコルでＶｏＩＰ通信要求を行う場合もあるが、この実施の形態１では、ＷＥＢサービス（Ｈｔｔｐ通信）を要求する例で説明する。
【００３４】
ＨｔｔｐリクエストＳ２を受信したＷＥＢサーバ２０は、ＷＥＢサービス受付部２１にて受信処理を行い、通信経路確認機能部２２に対して経路確認要求を行う。経路確認要求を受信した通信経路確認機能部２２は、ＨｔｔｐリクエストＳ２上の「ＡＰ装置：１００」と、「通信サービス種別：Ｈｔｔｐ」と、「ユーザ情報（ユーザＩＰ：ＭＡＣアドレスまたはＩＰアドレス）」を元に、ＡＰ管理サーバ１０に対して経路確認要求（通信経路チェック：開始）Ｓ３を行う。
【００３５】
ＡＰ管理サーバ１０は、経路確認要求Ｓ３をＡＰサービス受付機能部１１にて受け付けた後、ＡＰ装置管理部１２に通信サービス種別に応じたＡＰ装置（無線ＬＡＮ装置）１００が適切かを問い合わせる。ＡＰ装置管理部１２は、ＡＰ装置情報部１４が管理する情報（ＡＰ装置管理データ１００１）と、入力された「ＡＰ装置：１００」を元に、経路チェックＳ４を行う。この経路チェックＳ４では、ユーザの事業所番号と通信サービス種別を収集し、無線ＬＡＮ装置１００が「通信サービス種別：Ｈｔｔｐ」での利用が適切であるか否かを判断する。
【００３６】
判断結果が適切な場合は、ＡＰ装置ＯＫ情報を認証コード付で返答するが、判断結果が適切でない場合（図示の場合、通信サービス種別が異なる）、ＡＰ装置管理部１２は、ユーザの事業所番号と通信サービス種別を元に、ＡＰ装置管理データ１００１を検索し、ユーザの同一事業所番号内で「通信サービス種別：Ｈｔｔｐ」に対応したＡＰ装置である無線ＬＡＮ装置２００を選択し、ＣＨＡＮＧＥ（メッセージ）Ｓ５を認証コード付でＷＥＢサーバ２０に返答する。
【００３７】
返答を受けたＷＥＢサーバ２０の通信経路確認機能部２２は、ＡＰ装置ＯＫ情報の返答の場合には、通信サービス処理を継続するためにＷＥＢサービス処理部２３に対して引継ぎ処理を続行させる。一方、図示の例のように通信サービス種別が異なり、ＡＰ装置２００のＣＨＡＮＧＥ（メッセージ）Ｓ５の返答の場合には、ＷＥＢサービス受付部２１に変更ＡＰ装置（無線ＬＡＮ装置２００）の情報を返答する。そして、ＷＥＢサービス受付部２１は、変更ＡＰ装置情報を含むＨｔｔｐリジェクト（メッセージ）Ｓ６をアクセス端末３００に返答する。
【００３８】
ＨｔｔｐリジェクトＳ６を受信したアクセス端末３００は、サービス要求受付部３０１によってＨｔｔｐリジェクトＳ６を分析し、変更ＡＰ装置の情報が含まれている場合には、この変更ＡＰ装置（無線ＬＡＮ装置２００）を使用（選択）できるかを判断し、選択可能な場合には、旧無線ＬＡＮ装置１００との無線レイヤ２リンク断Ｓ７を行い、ＨｔｔｐリジェクトＳ６に指定された変更ＡＰ装置（無線ＬＡＮ装置２００）との無線レイヤ２リンク確立Ｓ８を行う。
【００３９】
これにより、アクセス端末３００は、あらためてＨｔｔｐリクエストＳ２−２「ＡＰ装置：２００」を送信する。ＨｔｔｐリクエストＳ２−２を受信したＷＥＢサーバ２０は、ＷＥＢサービス受付部２１にて受信処理を行い、上記同様の通信経路チェックＳ３−２の処理を実施する。このとき、ＡＰ管理サーバ１０のＡＰサービス受付機能部１１は、ＡＰ装置管理部１２に対して、無線ＬＡＮ装置２００と認証コードの情報を元に、正常性をチェックした後、新たにユーザの追加となった無線ＬＡＮ装置２００に関するＡＰ装置管理データ１００１の利用者数を更新（Ｓ４−２）する。図示の場合、図２参照のように利用者数を追加した「１」に更新する。この後、ＷＥＢサーバ２０〜無線ＬＡＮ装置２００〜アクセス端末３００の経路によるＷＥＢサービスＳ９の処理が実行される。なお、Ｈｔｔｐメッセージによっては、ＡＰ装置管理部１２に対して、無線ＬＡＮ装置２００と認証コードを元に経路チェックで正常性のみをチェックしてもよい。
【００４０】
この後、ＷＥＢサービスＳ９の終了時には、ＷＥＢサーバ２０のＷＥＢサービス処理部２３がアクセス端末３００に対してＨｔｔｐレスポンスＳ１０を返答するときに、通信経路確認機能部２２に対して、「ＡＰ装置」と、「通信サービス種別：Ｈｔｔｐ」と、「ユーザＩＰ（ＭＡＣアドレスまたはＩＰアドレス）」を元に、通信経路チェックＳ３−３によりＷＥＢサービス終了要求を行う。そして、ＷＥＢサーバ２０の通信経路確認機能部２２は、ＡＰ管理サーバ１０のＡＰサービス受付機能部１１に対して通信経路チェック（終了）の要求を引き渡す。ＷＥＢサービス終了要求を受け付けたＡＰサービス受付機能部１１は、入力された情報を元にＡＰ装置管理部１２に対して、該当する無線ＬＡＮ装置の情報（ＡＰ装置管理データ１００１）から利用者数を更新（削除）する（Ｓ４−３）。
【００４１】
上述したＡＰ装置管理データ１００１の利用者の更新（削除）の他の例としては、ＷＥＢサーバ２０のＷＥＢサービス処理部２３がＨｔｔｐレスポンスＳ１０をアクセス端末３００に返答するとき、該当するアクセス端末３００の利用状況にＯＮフラグを設定し、通信経路確認機能部２２を経由せずにアクセス端末３００に応答を返答する。ＡＰ管理サーバ１０のＡＰ装置管理部１２は、ＡＰ装置（この場合、無線ＬＡＮ装置２００）を利用ユーザ単位で状態監視するため、一定時間周期でＷＥＢサーバ２０のＷＥＢサービス処理部２３におけるアクセス端末３００の利用状況をチェックし、ＯＮ（利用）であった場合はＯＦＦに再設定をし、ＯＦＦであった場合は該当のアクセス端末３００の通信断と判断し、ＡＰ装置管理データ１００１から該当するアクセス端末を削除する。
【００４２】
上記の経路制御の手順では、ＨｔｔｐリジェクトＳ６に、ＨｔｔｐリクエストＳ２に対知る結果の認証コードを含んでいる。即ち、アクセス端末３００からのアクセスに対してＡＰ管理サーバ１０が認証済みの状態である。このＨｔｔｐリジェクトＳ６を受けたアクセス端末３００は、これ以降サービスサーバ（ＷＥＢサーバ２０）に対しての問い合わせを行わずに済み、問い合わせ回数を減らすことができる。
【００４３】
上記実施の形態１によれば、ＡＰの無線ＬＡＮ装置を経由したネットワーク接続時に、ＶｏＩＰ通信に用いる無線ＬＡＮ装置と、その他の通信（例えばＨｔｔｐ通信）に用いる無線ＬＡＮ装置を分離できるので、それぞれの通信サービスを安定して提供できるようになる。例えば、ＶｏＩＰ通信による音声サービスの品質を確保することができるようになる。
【００４４】
（実施の形態２）
図４は、本発明の実施の形態２による無線ＬＡＮ通信システムの全体構成を示す図である。図１と同様の構成部には同一の符号を附してある。本発明の実施の形態２では、アクセス端末が最寄りの無線ＬＡＮ装置を利用してサービスを開始する前に、まずＡＰ管理サーバ１０にアクセスし（ａ）、ＡＰ管理サーバ１０がサービスサーバ（ＷＥＢサーバ２０，ＳＩＰサーバ３０）と連携し（ｂ）、ＡＰ管理サーバ１０が該当するサービスで利用する無線ＬＡＮ装置の種別とサービスサーバの情報をアクセス端末３００に返答し（ｃ）、アクセス端末３００が該当する無線ＬＡＮ装置を経由して通信サービスを開始する（ｄ）、構成である。
【００４５】
図５は、本発明の実施の形態２による通信経路制御内容を示すシーケンス図である。実施の形態２による通信経路制御について図５を用いて説明する。アクセス端末３００は、ＷＥＢサービス（Ｈｔｔｐ通信）の開始を要求しているとする。
【００４６】
ユーザが無線ＬＡＮ機能を有したアクセス端末３００よりＩＰ通信を開始するとき、アクセス端末３００のサービス要求受付部３０１は、無線アクセス機能を用いて無線ＬＡＮ装置１００および無線ＬＡＮ装置２００を検出する。そして、固定論理により（無線ＬＡＮ電波強度大のＡＰを選択等）、最寄りの無線ＬＡＮ装置（ＡＰ）１００にアクセスを開始する。この無線ＬＡＮ装置１００は、ＳＩＰサービス（ＶｏＩＰ通信）用である。
【００４７】
そして、アクセス端末３００のサービス要求受付部３０１は、無線ＬＡＮ装置１００に対して、無線レイヤ２リンク確立Ｓ１の後、ＡＰ管理サーバ１０に対してＳＮＭＰ等の管理用通信プロトコルを用いて、Ｈｔｔｐサービス開始要求を行う（Ｓ２）。このＨｔｔｐサービス開始要求では、Ｈｔｔｐサービス開始要求メッセージに、利用中のＡＰ装置（無線ＬＡＮ装置１００）の種別パラメータを付加して行う。なお、ＳＩＰプロトコルでＶｏＩＰ通信要求を行う構成としてもよい。
【００４８】
Ｈｔｔｐサービス開始要求を受信したＡＰ管理サーバ１０は、ＡＰサービス受付機能部１１により、Ｈｔｔｐサービス開始要求内の利用中の無線ＬＡＮ装置の種別「ＡＰ装置：１００」と、「通信サービス種別：Ｈｔｔｐ」と、「ユーザ情報」をパラメータとして、ＡＰ装置管理部１２に対して、経路確認要求（経路チェックＳ３）を行う。ＡＰ装置管理部１２では、ＡＰ装置情報部１４が管理する情報（ＡＰ装置管理データ１００１）、および入力された「ＡＰ装置：１００」を元に、ユーザの事業所番号と通信サービス種別を収集し、無線ＬＡＮ装置１００が「通信サービス種別：Ｈｔｔｐ」での利用が適切かを判断する。
【００４９】
判断結果が適切な場合は、アクセス先のＷＥＢサーバ情報とともにＡＰ装置ＯＫ情報を返答するが、判断結果が適切でない場合（図示の場合、通信サービス種別が異なる）、ＡＰ装置管理部１２は、ユーザの事業所番号と通信サービス種別を元に、ＡＰ装置管理データ１００１を検索し、ユーザの同一事業所内で「通信サービス種別：Ｈｔｔｐ」に対応したＡＰ装置（無線ＬＡＮ装置２００）を決定し、ＳＮＭＰによりＨｔｔｐ開始受付の応答（アクセス先ＷＥＢサーバ情報とともにＡＰ装置ＣＨＡＮＧＥ情報を含む）を返答する（Ｓ４）。
【００５０】
Ｈｔｔｐサービス開始受付Ｓ４を受け取ったアクセス端末３００のサービス受付部３０１は、ＡＰ装置ＯＫの場合は受信したＨｔｔｐサービス開始受付Ｓ４内のＷＥＢサーバ情報を元にＨｔｔｐリクエストを送信することにより、Ｈｔｔｐサービスを開始する。一方、図示のように、ＡＰ装置ＣＨＡＮＧＥの場合は、Ｈｔｔｐサービス開始受付Ｓ４内のＡＰ装置ＣＨＡＮＧＥ情報を元に、無線ＬＡＮ装置として選択できる装置かどうかを判断し、選択可能な無線ＬＡＮ装置の場合は、旧無線ＬＡＮ装置（無線ＬＡＮ装置１００）との無線レイヤ２リンク断Ｓ５を行い、変更ＡＰ装置（無線ＬＡＮ装置２００）との無線レイヤ２リンク確立Ｓ６を行った後、受信したＨｔｔｐサービス開始応答メッセージ内のＷＥＢサーバ情報を元に、ＨｔｔｐリクエストＳ７を送信することによりＨｔｔｐ通信によるＷＥＢサービスＳ８を開始する。
【００５１】
ＡＰ管理サーバ１０のＡＰ装置管理部１２は、ＷＥＢサーバ２０に対するユーザ監視Ｓ９を行い、無線ＬＡＮ装置２００と認証コードの情報を元に、新たにユーザの追加となった無線ＬＡＮ装置２００に関するＡＰ装置管理データ１００１の利用者数を更新（Ｓ１０）する。
【００５２】
この後、ＷＥＢサービスＳ８の終了時には、ＷＥＢサーバ２０のＷＥＢサービス処理部２３がＨｔｔｐレスポンスＳ１１をアクセス端末３００に返答するとき、ＡＰ装置管理部１２は、通信経路確認機能部２２に対して、「ＡＰ装置」、「通信サービス種別：Ｈｔｔｐ」および「ユーザ情報（ＭＡＣアドレスまたはＩＰアドレス）」を元にＷＥＢサービス終了要求を行う。そして、通信経路確認機能部２２は、ＡＰ管理サーバ１０のＡＰサービス受付機能部１１に要求を引き渡す。ＷＥＢサービス終了要求を受け付けたＡＰサービス受付機能部１１は、入力された情報を元にＡＰ装置管理部１２に対して、該当ＡＰ装置情報（ＡＰ装置管理データ１００１）から利用者数を更新（削除）する（Ｓ１２）。
【００５３】
上述したＡＰ装置管理データ１００１の利用者の更新（削除）の他の例としては、ＷＥＢサーバ２０のＷＥＢサービス処理部２３がＨｔｔｐレスポンスＳ１１をアクセス端末３００に返答するとき、該当するアクセス端末３００の利用状況にＯＮフラグを設定し、通信経路確認機能部２２を経由せずにアクセス端末３００に応答を返答する。ＡＰ管理サーバ１０のＡＰ装置管理部１２は、ＡＰ装置（この場合、無線ＬＡＮ装置２００）を利用ユーザ単位で状態監視するため、一定時間周期でＷＥＢサーバ２０のＷＥＢサービス処理部２３のアクセス端末利用状況をチェックし、ＯＮ（利用）であった場合は、ＯＦＦに再設定をし、ＯＦＦであった場合は該当のアクセス端末３００の通信断と判断し、ＡＰ装置管理データ１００１から該当するアクセス端末を削除する。
【００５４】
上記実施の形態２によれば、実施の形態１同様に、ＡＰの無線ＬＡＮ装置を経由したネットワーク接続時に、ＶｏＩＰ通信に用いる無線ＬＡＮ装置と、その他の通信（例えばＨｔｔｐ通信）に用いる無線ＬＡＮ装置を分離できるので、それぞれの通信サービスを安定して提供できるようになる。さらに、実施の形態２によれば、通信サービスの開始前に、アクセス端末とサービス提供側のＡＰ管理サーバとの間で使用するＡＰの無線ＬＡＮ装置を事前決定することができるため、実施の形態１に比較して、通信サービス手順を変更することなく、ＡＰにおける無線ＬＡＮ装置の振り分け（通信サービス種別毎の割り当て）が可能となる。
【００５５】
（実施の形態３）
図６は、本発明の実施の形態３による無線ＬＡＮ通信システムの全体構成を示す図である。図１と同様の構成部には同一の符号を附してある。本発明の実施の形態３では、アクセス端末が最寄りの無線ＬＡＮ装置を利用してサービスを開始するときに（ａ）、サービスサーバ（ＷＥＢサーバ２０，ＳＩＰサーバ３０）がＡＰ管理サーバ１０に問い合わせ（ｂ）、ＡＰ管理サーバ１０が該当するサービスに対応して無線ＬＡＮ装置２００を選択し（ｃ）、この選択した無線ＬＡＮ装置２００に対してアクセス端末３００を強制的にハンドオーバさせ（ｄ）、アクセス端末３００が該当する無線ＬＡＮ装置を経由して通信サービスを開始する（ｅ）、構成である。
【００５６】
図７は、本発明の実施の形態３による通信経路制御内容を示すシーケンス図である。実施の形態３による通信経路制御について図７を用いて説明する。アクセス端末３００は、ＷＥＢサービス（Ｈｔｔｐ通信）の開始を要求しているとする。
【００５７】
ユーザが無線ＬＡＮ機能を有したアクセス端末３００よりＩＰ通信を開始するとき、アクセス端末３００のサービス要求受付部３０１は、無線アクセス機能を用いて無線ＬＡＮ装置１００および無線ＬＡＮ装置２００を検出する。そして、固定論理により（無線ＬＡＮ強度大のＡＰを選択等）、最寄りの無線ＬＡＮ装置（ＡＰ）１００にアクセスを開始する。この無線ＬＡＮ装置１００は、ＳＩＰサービス（ＶｏＩＰ通信）用である。
【００５８】
そして、アクセス端末３００のサービス要求受付部３０１は、無線ＬＡＮ装置１００に対して、無線レイヤ２リンク確立Ｓ１の後、ＷＥＢサーバ２０に対して、Ｈｔｔｐリクエストに「ＡＰ装置：１００」を設定して送信する（ＳＩＰプロトコルでＶｏＩＰ通信要求を行ってもよいが、実施の形態３ではＨｔｔｐサービスに適用する例で説明する。
【００５９】
Ｈｔｔｐリクエストを受信したＷＥＢサーバ２０は、ＷＥＢサービス受付部２１にて受信処理を行い、通信経路確認機能部２２に対して経路確認要求を行う。経路確認要求を受信した通信経路確認機能部２２は、Ｈｔｔｐリクエスト上の「ＡＰ装置：１００」と、「通信サービス種別：Ｈｔｔｐ」と、「ユーザ情報（ＭＡＣアドレスまたはＩＰアドレス）」を元に、ＡＰ管理サーバ１０に対して経路確認要求（通信経路チェックＳ３）を行う。ＡＰ管理サーバ１０は、ＡＰサービス受付機能部１１にて経路確認要求を受け付けた後、ＡＰ装置管理部１２に、通信サービス種別に応じた無線ＬＡＮ装置１００が適切かを問い合わせる。ＡＰ装置管理部１２では、ＡＰ装置情報部１４が管理するＡＰ装置管理データ１００１、および入力された「ＡＰ装置：１００」を元に、ユーザの事業所番号と通信サービス種別を収集し、「通信サービス種別：Ｈｔｔｐ」での利用が適切かを判断する（経路チェックＳ４）。
【００６０】
判断結果が適切な場合は、ＳＮＭＰ等の保守通信プロトコルを用いて、アクセス端末３００に対してＡＰ装置ＯＫ情報を認証コード付で「通信ＯＫ指示」を送信するが、適切でない場合（図示の場合、通信サービス種別が異なる）、ＡＰ装置装置管理部１２は、ユーザの事業所番号と通信サービス種別を元に、ＡＰ装置管理データ１００１を検索し、ユーザの同一事業所内で「通信サービス種別：Ｈｔｔｐ」に対応したＡＰ装置（無線ＬＡＮ装置２００）を決定し、ＳＮＭＰ等の保守用通信プロトコルを用いて、アクセス端末３００に対して通信経路ＣＨＡＮＧＥ（Ｓ５）を送信する。この通信経路ＣＨＥＮＧＥＳ５は、アクセス端末３００に対して直接、認証コード付で「強制ハンドオーバ」を指示するものである。
【００６１】
この「強制ハンドオーバ指示」を含む通信経路ＣＨＡＮＧＥ（Ｓ５）を受信したアクセス端末３００は、サービス受付部３０１が、旧無線ＬＡＮ装置（無線ＬＡＮ装置１００）との無線レイヤ２リンク断Ｓ６を行い、変更ＡＰ装置（無線ＬＡＮ装置２００）との無線レイヤ２リンクを確立Ｓ７を行った後、ＳＮＭＰ等の保守用通信プロトコルを用いて、通信経路ＣＨＡＮＧＥ  ＯＫ（Ｓ８）により「強制ハンドオーバ完了通知」を送信する。
【００６２】
その後、ＡＰ装置管理部１２は、ＷＥＢサーバ２０の通信経路確認機能部２２にＣＨＡＮＧＥ（「ＡＰ装置ＯＫ」または「ＡＰ装置ＣＨＡＮＧＥ完了」）Ｓ９を返答する。ＡＰ管理サーバ１０のＡＰ装置管理部１２は、ＷＥＢサーバ２０に対するユーザ監視Ｓ１０を行い、無線ＬＡＮ装置２００と認証コードの情報を元に、新たにユーザの追加となった無線ＬＡＮ装置２００に関するＡＰ装置管理データ１００１の利用者数を更新（Ｓ１１）する。そして、ＷＥＢサーバ２０は、アクセス端末３００との間でＨｔｔｐ通信によるＷＥＢサービスＳ１２を開始する。
【００６３】
この後、ＷＥＢサービスＳ１２の終了時には、ＷＥＢサーバ２０のＷＥＢサービス処理部２３がＨｔｔｐレスポンスＳ１３をアクセス端末３００に返答するとき、ＡＰ装置管理部１２は、通信経路確認機能部２２に対して、「ＡＰ装置」、「通信サービス種別：Ｈｔｔｐ」および「ユーザ情報（ＭＡＣアドレスまたはＩＰアドレス）」を元にＷＥＢサービス終了要求を行う。そして、通信経路確認機能部２２は、ＡＰ管理サーバ１０のＡＰサービス受付機能部１１に要求を引き渡す。ＷＥＢサービス終了要求を受け付けたＡＰサービス受付機能部１１は、入力された情報を元にＡＰ装置管理部１２に対して、該当ＡＰ装置情報（ＡＰ装置管理データ１００１）から利用者数を更新（削除）する（Ｓ１４）。
【００６４】
上記利用者数の更新（削除）Ｓ１４の他の例としては、ＷＥＢサーバ２０のＷＥＢサービス処理部２３がＨｔｔｐレスポンスをアクセス端末３００に返答するとき、該当アクセス端末３００の利用状況にＯＮフラグを設定し、通信経路確認機能部２２を経由せずにアクセス端末３００に応答を返答する。ＡＰ管理サーバ１０のＡＰ装置管理部１２は、ＡＰ装置（無線ＬＡＮ装置２００）を利用ユーザ単位で状態監視するため、一定時間周期で、ＷＥＢサーバ２０のＷＥＢサービス処理部２３のアクセス端末利用状況をチェックし、ＯＮ（利用）であった場合は、ＯＦＦに再設定をし、ＯＦＦであった場合は該当のアクセス端末３００の通信断と判断し、ＡＰ装置管理データ１００１から該当するアクセス端末を削除する。
【００６５】
上記実施の形態３によれば、ＡＰの無線ＬＡＮ装置を経由したネットワーク接続時に、ＶｏＩＰ通信に用いる無線ＬＡＮ装置と、その他の通信（例えばＨｔｔｐ通信）に用いる無線ＬＡＮ装置を分離できるので、それぞれの通信サービスを安定して提供できるようになる。さらに、ＡＰの無線ＬＡＮ装置の切替をＡＰ管理サーバが主導して行うため、実施の形態１に比較して、ＡＰ制御方式に変更があった場合でもサービスサーバ（ＷＥＢサーバ２０）が行う処理負担の影響を最小限にすることが可能となる。
【００６６】
（実施の形態４）
図８は、本発明の実施の形態４による無線ＬＡＮ通信システムの全体構成を示す図である。図１と同様の構成部には同一の符号を附してある。本発明の実施の形態４では、図示のように、ＡＰ管理サーバ１０が宅内（または構内）８００に設けられてこの宅内の無線ＬＡＮ装置１００，２００を管理する構成である。そして、アクセス端末３００が最寄りの無線ＬＡＮ装置を経由してアクセスを開始する前に、まず、アクセス端末３００がＡＰ管理サーバ１０に問い合わせ（ａ）、ＡＰ管理サーバ１０が該当するサービスに対応した無線ＬＡＮ装置２００とサービスサーバ（ＷＥＢサーバ２００）の情報を収集して（ｂ）、無線ＬＡＮ装置２００を選択し（ｃ）、この選択した無線ＬＡＮ装置２００に対してアクセス端末３００を強制的にハンドオーバさせ（ｄ）、アクセス端末３００が該当する無線ＬＡＮ装置を経由して通信サービスを開始する（ｅ）、構成である。
【００６７】
ＡＰ管理サーバ１０の機能は、宅内（または構内）の無線ＬＡＮ装置１００，２００のうちいずれかに設けてもよい。
【００６８】
図９は、本発明の実施の形態４による通信経路制御内容を示すシーケンス図である。実施の形態４による通信経路制御について図９を用いて説明する。アクセス端末３００は、ＷＥＢサービス（Ｈｔｔｐ通信）の開始を要求しているとする。
【００６９】
ユーザが無線ＬＡＮ機能を有したアクセス端末３００よりＩＰ通信を開始するとき、アクセス端末３００のサービス要求受付部３０１は、無線アクセス機能を用いて無線ＬＡＮ装置１００および無線ＬＡＮ装置２００を検出する。そして、固定論理により（無線ＬＡＮ電波強度大のＡＰを選択等）、最寄りの無線ＬＡＮ装置（ＡＰ）にアクセスを開始する。この無線ＬＡＮ装置１００は、ＳＩＰサービス（ＶｏＩＰ通信）用である。
【００７０】
そして、アクセス端末３００のサービス要求受付部３０１は、無線ＬＡＮ装置１００に対して、無線レイヤ２リンク確立Ｓ１の後、宅内（または構内）のＡＰ管理サーバ１０に対してＳＮＭＰ等の管理用通信プロトコルを用い、Ｈｔｔｐサービス開始要求を行う（Ｓ２）。このＨｔｔｐサービス開始要求では、Ｈｔｔｐサービス開始要求メッセージに、利用中のＡＰ装置（無線ＬＡＮ装置１００）の種別パラメータを付加して行う。なお、ＳＩＰプロトコルでＶｏＩＰ通信要求を行う構成としてもよい。
【００７１】
Ｈｔｔｐサービス開始要求Ｓ２を受信したＡＰ管理サーバ１０は、ＡＰサービス受付機能部１１により、Ｈｔｔｐサービス開始要求Ｓ２内の利用中の無線ＬＡＮ装置の種別「ＡＰ装置：１００」と、「通信サービス種別：Ｈｔｔｐ」と、「ユーザ情報」をパラメータとして、ＡＰ装置管理部１２に対して、経路確認要求（経路チェックＳ３）を行う。ＡＰ装置管理部１２では、ＡＰ装置情報部１４で管理するＡＰ装置管理データ１００１、および入力された「ＡＰ装置：１００」を元に、ユーザ種別と通信サービス種別を収集し、無線ＬＡＮ装置１００が「通信サービス種別：Ｈｔｔｐ」での利用が適切かを判断する。
【００７２】
判断結果が適切な場合は、アクセス先ＷＥＢサーバ情報とともにＡＰ装置ＯＫ情報を返答するが、適切でない場合（図示の場合、通信サービス種別が異なる）、ＡＰ装置管理部１２は、ユーザ種別と通信サービス種別を元に、ＡＰ装置管理データ１００１を検索し、同一電波エリア（サブネットＡ）内で「通信サービス種別：Ｈｔｔｐ」に対応したＡＰ装置（無線ＬＡＮ装置２００）を決定し、ＳＮＭＰによりＨｔｔｐサービス開始受付の応答（アクセス先ＷＥＢサーバ情報とともにＡＰ装置ＣＨＡＮＧＥ情報を含む）を返答する（Ｓ４）。
【００７３】
Ｈｔｔｐサービス開始受付Ｓ４を受け取ったアクセス端末３００のサービス受付部３０１は、ＡＰ装置ＯＫの場合は受信したＨｔｔｐサービス開始応答メッセージ内のＷＥＢサーバ情報を元にＨｔｔｐリクエストを送信することによりＨｔｔｐサービスを開始する。一方、図示のように、ＡＰ装置が異なる場合には、Ｈｔｔｐサービス開始受付Ｓ４内のＡＰ装置の情報を元に、無線ＬＡＮ装置として選択できる装置かどうかを判断し、選択可能な無線ＬＡＮ装置の場合は、旧無線ＬＡＮ装置（無線ＬＡＮ装置１００）との無線レイヤ２リンク断Ｓ５を行い、変更ＡＰ装置（無線ＬＡＮ装置２００）との無線レイヤ２リンク確立Ｓ６を行った後、受信したＨｔｔｐサービス開始応答メッセージ内のＷＥＢサーバ情報を元にＷＥＢサーバ宛にＨｔｔｐリクエストＳ７を送信することによりＨｔｔｐ通信によるＷＥＢサービスＳ８を開始する。
【００７４】
ＷＥＢサーバ２０のＷＥＢサービス受付部２１は、ＨｔｔｐリクエストＳ７の受信時に、通信経路確認機能部２２に対してアクセス端末３００の情報とＡＰ装置（無線ＬＡＮ装置２００）を通知する。通信経路確認機能部２２は、通知されたアクセス端末３００の情報とＡＰ装置（無線ＬＡＮ装置２００）の情報を元に、該当するアクセス端末３００を通信中状態として更新（追加）する（Ｓ９）。
【００７５】
この後、ＷＥＢサービスＳ８の終了時には、ＷＥＢサーバ２０のＷＥＢサービス処理部２３がＨｔｔｐレスポンスＳ１１をアクセス端末３００に返答するとき、ＡＰ装置管理部１２は、通信経路確認機能部２２に対して、「ＡＰ装置」、「通信サービス種別：Ｈｔｔｐ」および「ユーザ情報（ＭＡＣアドレスまたはＩＰアドレス）」を元にＷＥＢサービス終了要求を行う。ＷＥＢサービス終了要求により、ＡＰサービス受付機能部１１は、ＡＰ装置管理部１２に対して、該当ＡＰ装置情報（ＡＰ装置管理データ１００１）から利用者数を更新（削除）する（Ｓ１０）。
【００７６】
以下、非同期にユーザおよびＡＰ装置（無線ＬＡＮ装置）の通信状態を監視する。具体的には、ＷＥＢサービスＳ８の終了により、ＷＥＢサーバ２０の通信経路確認機能部２２は、ユーザ情報とＡＰ装置の情報を元に、該当するアクセス端末３００を非通信状態に更新する。
【００７７】
この通信経路確認機能部２２は、常時、通信中ユーザ（アクセス端末３００）について、ユーザ情報と、サービス種別と、ＡＰ装置の各情報をＡＰ管理サーバ１０毎に保持している。ＡＰ管理サーバ１０は、定期的にＷＥＢサーバ２０に対してＳＮＭＰプロトコル等を用いてＡＰ管理サーバ１０配下のユーザの通信中状態を問い合わせる。問い合わせを受けたＷＥＢサーバ２０内の通信経路確認機能部２２は、該当するＡＰ管理サーバ１０配下のユーザの通信中状態として、ユーザ情報と、ＡＰ装置と、通信サービス種別を返答する。ＡＰ管理サーバ１０は、受信したユーザ情報およびサービス種別から、利用すべきＡＰ装置（無線ＬＡＮ装置１００，２００）を選択する。選択されたＡＰ装置が、ＷＥＢサーバ２０から受信したＡＰ装置と一致した場合は、何もしない。一方、選択したＡＰ装置が、受信したＡＰ装置と一致しない場合は、該当するユーザおよび該当するサービス種別に対応する適切なＡＰ装置を出力し、該当するアクセス端末３００にＳＮＭＰプロトコル等を用いて利用すべきＡＰ装置への切替をうながすために、ＡＰ装置切替指示を送信する。ＡＰ装置切替指示を受信したアクセス端末３００は、利用中のＡＰ装置の無線レイヤ２リンク断を行い、ＡＰ管理サーバ１０より指定されたＡＰ装置との間でレイヤ２リンク確立を行って、通信サービスを継続する。
【００７８】
上記実施の形態４によれば、宅内や企業内（構内）にＡＰ管理サーバを設置することにより、サービスサーバ側への影響を最小限に抑えることができる。また、アクセス端末およびＡＰ管理サーバ間でのＡＰ装置を振り分ける方式により、宅内や構内単位で運用ポリシーを設定させてＡＰ利用を行う（例えば、音声サービス品質を確保する等）ことができるようになる。
【００７９】
（実施の形態５）
本発明の実施の形態５は、ＡＰの無線ＬＡＮ装置を予め設定した組織内の所定グループ毎に経路制御する構成である。上述した実施の形態１〜４において説明したＡＰ管理サーバ１０におけるＡＰ装置情報部１４は、ＡＰ装置管理データ１００１を通信サービス種別を元に管理した構成に対して、この実施の形態５では、所定グループを元に管理する点が異なる。このため、実施の形態５における構成は、基本的に実施の形態１（図２）と同様であり、説明を省略する。また、経路制御手順については、実施の形態１（図３）と基本的に同様であるが、所定のグループを元に経路制御する点が異なる。
【００８０】
このグループは、ＡＰ管理サーバ１０のＡＰ装置情報部１４にアクセス可能な所定のインターフェース、例えばＷＥＢインターフェース（図史略）を介してサービス管理者等により設定することができる。
【００８１】
図１０−１は、ＡＰ管理サーバにより組織内をユーザグループ毎に管理する構成例を示す図である。ＡＰ管理サーバ１０（図２参照）のＡＰ装置情報部１４は、ユーザグループ管理データ１００５と、ユーザ管理データ１００６とを管理する。サービス管理者またはユーザ管理者は、ユーザグループ管理データ１００５を用いて複数のユーザグループを設定し、ユーザ管理データ１００を用いて各ユーザをそれぞれのユーザグループに割り当てる設定を行う。
【００８２】
ユーザグループ管理データ１００５は、テーブル形式で格納されており、図示の例では、事業所番号と、ＡＰ装置（無線ＬＡＮ装置）１００，２００のそれぞれのユーザグループ種別「ユーザグループ１，２」と、利用者数「０，１」からなる。利用者数の「１」は、ＡＰ装置２００の利用者が１名（アクセス端末３００が１台）を示す。ユーザ管理データ１００６は、図示の例では、ユーザ（アクセス端末３００）の識別番号「２００，３００等」と、対応する事業所番号およびユーザグループ種別「１，２」からなる。
【００８３】
以上の設定によれば、無線ＬＡＮ装置１００，２００（例えば図２参照）を使用するユーザのアクセス端末３００が属するユーザグループ１，２毎に振り分けて経路設定することができるようになる。ユーザグループは、例えば、部署毎に異なるグループとして設定できる。
【００８４】
図１０−２は、ＡＰ管理サーバにより組織内の階層クラス毎に管理する構成例を示す図である。ＡＰ装置情報部１４は、ユーザグループ管理データ１００５と、ユーザ管理データ１００６とを管理する。ユーザグループ管理データ１００５は、図示の例では、事業所番号と、ＡＰ装置（無線ＬＡＮ装置）１００，２００のユーザグループ種別「ユーザグループ１」と、階層クラス「０，１」と、利用者数「０，１」からなる。この図の例では、ユーザグループ種別は便宜上一つの「１」だけとしてある。ユーザ管理データ１００６は、図示の例では、ユーザ（アクセス端末３００）の識別番号「２００，３００等」と、対応するユーザグループ種別「１」と、階層クラス「０，１」からなる。
【００８５】
以上の設定によれば、無線ＬＡＮ装置１００，２００（例えば図２参照）を使用するユーザのアクセス端末３００が属する階層クラス０，１毎に振り分けて経路設定することができるようになる。階層クラスとしては、例えば、役職毎に異なるクラスとして設定できる。
【００８６】
図１０−３は、ＡＰ管理サーバにより組織内を利用時間帯毎に管理する構成例を示す図である。ＡＰ装置情報部１４は、ユーザグループ管理データ１００５と、ユーザ管理データ１００６とを管理する。ユーザグループ管理データ１００５は、図示の例では、事業所番号と、一つのサブネットＡ内に配置される複数のＡＰ装置（無線ＬＡＮ装置）１００，２００，○○○と、ＡＰ装置毎に設定されるユーザグループ種別「ユーザグループ１，２」と、各ユーザグループの利用時間帯「時刻設定」と、利用者数「０，１」からなる。例えば、ＡＰ装置（無線ＬＡＮ装置）２００は、ユーザグループ１，２が用いるが、ユーザグループ１については、１７：００〜２４：００まで期間の使用が許可され、ユーザグループ２については、９：００〜２４：００までの期間の使用が許可されている。ユーザ管理データ１００６は、図示の例では、ユーザ（アクセス端末３００）の識別番号「２００，３００等」と、対応するユーザグループ種別「１、２」からなる。
【００８７】
以上の設定によれば、無線ＬＡＮ装置１００，２００（例えば図２参照）を使用するユーザのアクセス端末３００は、利用時間帯毎に振り分けて経路設定することができるようになる。
【００８８】
上記実施の形態５によれば、ネットワークサービスの運用者もしくは各宅内もしくは企業内の利用ユーザ管理者が無線ＬＡＮ装置の利用をユーザグループ毎、階層毎、利用時間帯毎に設定することができ、組織変更にも柔軟に対応できるようになる。また、一時なネットワーク障害の発生時にも設定を変更するだけで対応できるようになる。
【００８９】
（実施の形態６）
本発明の実施の形態６は、ＡＰの無線ＬＡＮ装置を一定期間のトラヒック量毎に経路制御する構成である。図１１は、ＡＰ管理サーバによりトラヒック量毎に管理する構成例を示す図である。
【００９０】
ＡＰ管理サーバ１０（図２参照）のＡＰ装置情報部１４は、ＡＰ装置管理データ１００８を管理する。このＡＰ管理サーバ１０には、他にトラヒック量算出部（不図示）を備える。このトラヒック量算出部は、無線ＬＡＮ装置１００，２００との間の単位時間あたりのトラヒック量を算出する。
【００９１】
トラヒック量の算出は、ａ．直前のＮ時間毎、ｂ．前日の同時間帯毎、直前Ｎ日間の平均毎、がある。ここでは、ａ．直前のＮ時間毎のトラヒック量を算出する例で説明する。図１１に示したＡＰ装置管理データ１００８は、テーブル形式で格納されており、図示の例では、事業所番号と、ＡＰ装置（無線ＬＡＮ装置）１００，２００それぞれの単位時間あたりのトラヒック量「Ｎ呼，Ｍ呼」と、利用者数「０，１」からなる。
【００９２】
ＡＰ装置管理部１２は、ＡＰ装置情報部１４が管理するＡＰ装置管理データ１００８と、入力された「ＡＰ装置」および「ユーザ情報」を元に、ユーザの事業所番号とＡＰ装置情報を収集し、単位時間あたりのトラヒック量が少ないＡＰ装置管理データ１００８を検索し、入力された「ＡＰ装置：１００」からのアクセスが適切かを判断する。判断結果が適切であれば、サービスサーバ（ＷＥＢサーバ２０，ＳＩＰサーバ３０）に対してＡＰ装置ＯＫ情報を認証コード付で返答する。一方、適切でない場合は、検索により適切なＡＰ装置（例えば、無線ＬＡＮ装置２００）を決定し、サービスサーバ（ＷＥＢサーバ２０，ＳＩＰサーバ３０）に対してＡＰ装置ＣＨＡＮＧＥ情報を認証コード付で返答する。
【００９３】
以上説明した実施の形態６によれば、無線ＬＡＮ装置１００，２００（例えば図２参照）における単位時間あたりのトラヒック量に応じて経路設定することができるようになる。このように、無線ＬＡＮ装置のトラヒック量を常時監視することにより、利用ユーザが集中するＡＰ装置を特定でき、閑散トラヒックのＡＰ装置への接続替えが行え、利用ユーザが集中する無線ＬＡＮ装置を特定して特定サービスのユーザのみ閑散トラヒックのＡＰ装置への接続替えを行うことができ、トラヒックの平準化を図ることができる。
【００９４】
（実施の形態７）
本発明の実施の形態７は、ＡＰの無線ＬＡＮ装置を巡回（ラウンドロビン）で経路制御する構成である。実施の形態７では、一つのサブネットＡ（ＡＰ）にＡＰ装置（無線ＬＡＮ装置）をサービス種別毎の組で複数台を配置する。例えば、図２に記載したシステム構成において、ＶｏＩＰ通信用の無線ＬＡＮ装置として１００を対に配置する。また、Ｈｔｔｐ通信用の無線ＬＡＮ装置として２００を対に配置する。この例では１対としたが、３台以上を１組として複数台配置することもできる。
【００９５】
図１２は、ＡＰ管理サーバによりラウンドロビンで管理する構成例を示す図である。ＡＰ管理サーバ１０（図２参照）のＡＰ装置情報部１４は、ＡＰ装置管理データ１００９を管理する。このＡＰ装置管理データ１００９は、テーブル形式で格納されており、図示の例では、事業所番号と、ＡＰ装置（無線ＬＡＮ装置）１００，１０１，２００，２０１と、これらＡＰ装置に対する最新アクセスのフラグ「ＯＮ＝最新アクセス状態」と、利用者数「０，１」からなる。ＡＰ装置１００と１０１は、ＶｏＩＰ通信用として対に配置されており、ＡＰ装置２００と２０１は、Ｈｔｔｐ通信用として対に配置されている。
【００９６】
ＡＰ装置管理部１２は、一定周期にてＡＰ装置情報部１４に対して、ＡＰ装置管理データ１００９の最新アクセスフラグの再設定を要求する。ＡＰ装置情報部１４は、最新アクセスフラグの再設定要求を受けると、ＡＰ装置管理データ１００９の事業所番号単位に最新アクセスに該当するＡＰ装置にフラグＯＮを設定し、その他のＡＰ装置にＯＦＦを設定する。このほかに、ＡＰ装置グループを組んでグループ内でラウンドロビンに最新アクセスフラグを更新する方法も考えられる。
【００９７】
図１２に示す例によれば、ＶｏＩＰ通信用のＡＰ装置（無線ＬＡＮ装置１０１）の最新アクセスフラグがＯＮであり、次回の通信時には、ラウンドロビンにより、このＡＰ装置（無線ＬＡＮ装置１０１）の同一の組内の他の（次の順番の）無線ＬＡＮ装置１００がアクセス端末３００との経路接続の対象となる。
【００９８】
以上説明した実施の形態７によれば、ユーザのアクセス順にＡＰ装置（無線ＬＡＮ装置）をラウンドロビンで選択することにより、一つのＡＰ装置に対する短時間のアクセス集中による負荷を避けることができる。また、アクセス端末とＡＰ装置間の処理遅延を回避することができる。
【００９９】
（付記１）無線ＬＡＮアクセス端末が無線接続される無線ＬＡＮ装置を無線ＬＡＮ管理装置により管理する無線ＬＡＮシステムにおける無線ＬＡＮ経路制御方式において、
前記無線ＬＡＮ装置は、一つのサブネット内に所定のサービス種別を有して複数台が配置され、前記無線ＬＡＮアクセス端末に対する無線接続の経路が前記サービス種別毎に冗長化され、
前記無線ＬＡＮ管理装置は、前記無線ＬＡＮアクセス端末が要求する所定のサービス種別に対応した前記無線ＬＡＮ装置を前記無線ＬＡＮアクセス端末に無線接続させることを特徴とする無線ＬＡＮ経路制御方式。
【０１００】
（付記２）前記一つのサブネット内には、通信サービスの種別毎に前記無線ＬＡＮ装置が複数台配置されたことを特徴とする付記１に記載の無線ＬＡＮ経路制御方式。
【０１０１】
（付記３）前記無線ＬＡＮ管理装置は、宅内または構内に配置された前記無線ＬＡＮ装置の無線接続を管理し、
前記無線ＬＡＮアクセス端末は、前記無線ＬＡＮ管理装置を介して外部のサービスサーバにアクセスすることを特徴とする付記１または２に記載の無線ＬＡＮ経路制御方式。
【０１０２】
（付記４）一つのサブネット内に複数配置され、無線ＬＡＮアクセス端末と接続される無線の接続経路が所定のサービス種別毎に冗長化された複数の無線ＬＡＮ装置と、前記無線ＬＡＮアクセス端末との間の前記接続経路を制御する無線ＬＡＮ管理装置であって、
前記無線ＬＡＮアクセス端末が要求する所定のサービス種別に対応した前記無線ＬＡＮ装置を当該無線ＬＡＮアクセス端末に無線接続させる経路制御手段を備えたことを特徴とする無線ＬＡＮ管理装置。
【０１０３】
（付記５）前記経路制御手段は、
前記無線ＬＡＮアクセス端末が要求する所定のサービスを提供するサービスサーバにアクセスした際の当該サービスサーバからの問い合わせにより、当該無線ＬＡＮアクセス端末が要求したサービス種別に対応した接続先の前記無線ＬＡＮ装置への接続経路を前記サービスサーバを介して前記無線ＬＡＮアクセス端末に返答することを特徴とする付記４に記載の無線ＬＡＮ管理装置。
【０１０４】
（付記６）前記経路制御手段は、
前記無線ＬＡＮアクセス端末が要求する所定のサービス種別に基づき、当該無線ＬＡＮアクセス端末が要求したサービス種別に対応した接続先の前記無線ＬＡＮ装置への接続経路を前記無線ＬＡＮアクセス端末に返答することを特徴とする付記４に記載の無線ＬＡＮ管理装置。
【０１０５】
（付記７）前記経路制御手段は、
前記無線ＬＡＮアクセス端末が要求する所定のサービスを提供するサービスサーバにアクセスした際の当該サービスサーバからの問い合わせにより、当該無線ＬＡＮアクセス端末が要求したサービス種別に対応した接続先の前記無線ＬＡＮ装置への接続経路を前記無線ＬＡＮアクセス端末に返答することを特徴とする付記４に記載の無線ＬＡＮ管理装置。
【０１０６】
（付記８）前記経路制御手段は、
前記所定のサービス種別として、前記無線ＬＡＮアクセス端末が属する所定のユーザグループが予め設定された管理テーブルに基づき、当該ユーザグループに対応した前記無線ＬＡＮ装置への接続経路を前記無線ＬＡＮアクセス端末に返答することを特徴とする付記４に記載の無線ＬＡＮ管理装置。
【０１０７】
（付記９）前記経路制御手段は、
前記所定のサービス種別として、前記無線ＬＡＮアクセス端末が要求する所定の通信サービス種別が予め設定された管理テーブルに基づき、当該通信サービスに対応した前記無線ＬＡＮ装置への接続経路を前記無線ＬＡＮアクセス端末に返答することを特徴とする付記４に記載の無線ＬＡＮ管理装置。
【０１０８】
（付記１０）前記経路制御手段は、
前記所定のサービス種別として、前記無線ＬＡＮ装置毎のトラヒック量に基づき、当該トラヒック量に対応した前記無線ＬＡＮ装置への接続経路を前記無線ＬＡＮアクセス端末に返答することを特徴とする付記４に記載の無線ＬＡＮ管理装置。
【０１０９】
（付記１１）前記無線ＬＡＮ装置が、一つのサブネット内に所定のサービス種別単位毎に複数台からなる組を有し配置される構成において、
前記経路制御手段は、
前記所定のサービス種別として、前記無線ＬＡＮ装置の所定のサービス種別毎に接続の機会毎にラウンドロビンにより、組内の次の順番の前記無線ＬＡＮ装置を使用する接続経路を前記無線ＬＡＮアクセス端末に返答することを特徴とする付記４に記載の無線ＬＡＮ管理装置。
【０１１０】
（付記１２）一つのサブネット内に複数配置され、所定のサービス種別毎に冗長化された複数の無線ＬＡＮ装置に対して無線接続する無線ＬＡＮアクセス端末であって、
要求するサービス種別の情報を前記無線ＬＡＮ装置を介してネットワーク側に送出するサービス要求手段と、
前記要求したサービス種別の返答として前記無線ＬＡＮ装置から受信したメッセージに含まれる接続経路に該当する無線ＬＡＮ装置への経路接続を行う接続制御部を備えたことを特徴とする無線ＬＡＮアクセス端末。
【０１１１】
（付記１３）前記接続制御部は、
前記無線ＬＡＮ装置から受信したメッセージに含まれる接続経路がハンドオーバの要求時には、該当する無線ＬＡＮ装置への経路切替を行うことを特徴とする付記１２に記載の無線ＬＡＮアクセス端末。
【０１１２】
（付記１４）一つのサブネット内に複数配置され、無線ＬＡＮアクセス端末と接続される無線の接続経路が所定のサービス種別毎に冗長化された複数の無線ＬＡＮ装置と、前記無線ＬＡＮアクセス端末との間の前記接続経路を制御する無線ＬＡＮ経路制御方法であって、
要求するサービス種別の情報を前記無線ＬＡＮ装置を介してネットワーク側に送出するサービス要求工程と、
前記ネットワーク側から、前記無線ＬＡＮアクセス端末が要求する所定のサービス種別に対応した前記無線ＬＡＮ装置を返答する経路指示工程と、
前記経路指示工程により返答された前記無線ＬＡＮ装置に、前記無線ＬＡＮアクセス端末が無線接続する経路接続工程と、
を含むことを特徴とする無線ＬＡＮ経路制御方法。
【産業上の利用可能性】
【０１１３】
以上のように、本発明にかかる無線ＬＡＮ経路制御方式、無線ＬＡＮ管理装置、無線ＬＡＮアクセス端末および無線ＬＡＮ経路制御方法は、アクセスポイントに配置される無線ＬＡＮ装置に無線接続される無線ＬＡＮアクセス端末の経路制御に有用であり、特に、無線ＬＡＮアクセス端末が各種サービスを要求する際の無線ＬＡＮアクセス制御に適している。
【図面の簡単な説明】
【０１１４】
【図１】本発明による無線ＬＡＮ通信システムの全体構成を示す図である。
【図２】本発明の実施の形態１による無線ＬＡＮ通信システムの全体構成を示す図である。
【図３】本発明の実施の形態１による通信経路制御内容を示すシーケンス図である。
【図４】本発明の実施の形態２による無線ＬＡＮ通信システムの全体構成を示す図である。
【図５】本発明の実施の形態２による通信経路制御内容を示すシーケンス図である。
【図６】本発明の実施の形態３による無線ＬＡＮ通信システムの全体構成を示す図である。
【図７】本発明の実施の形態３による通信経路制御内容を示すシーケンス図である。
【図８】本発明の実施の形態４による無線ＬＡＮ通信システムの全体構成を示す図である。
【図９】本発明の実施の形態４による通信経路制御内容を示すシーケンス図である。
【図１０−１】ＡＰ管理サーバにより組織内をユーザグループ毎に管理する構成例を示す図である。
【図１０−２】ＡＰ管理サーバにより組織内の階層クラス毎に管理する構成例を示す図である。
【図１０−３】ＡＰ管理サーバにより組織内を利用時間帯毎に管理する構成例を示す図である。
【図１１】ＡＰ管理サーバによりトラヒック量毎に管理する構成例を示す図である。
【図１２】ＡＰ管理サーバによりラウンドロビンで管理する構成例を示す図である。
【符号の説明】
【０１１５】
１  無線ＬＡＮシステム
５  ＩＰ網
６  ルータ
７  レイヤ２スイッチ
１０  ＡＰ管理サーバ
１１  ＡＰサービス受付機能部
１２  ＡＰ装置管理部
１３  ＡＰ装置制御部
１４  ＡＰ装置情報部
２０  ＷＥＢサーバ
２１  ＷＥＢサービス受付部
２２  通信経路確認機能部
２３  ＷＥＢサービス処理部
３０  ＳＩＰサーバ
３１  ＳＩＰサービス受付部
３２  通信経路確認機能部
３３  ＳＩＰサービス処理部
１００，２００  ＡＰ装置（無線ＬＡＮ装置）
１０１，２０１  アクセス受付部
１０２，２０２  ネットワーク受付部
１０３，２０３  再アクセス受付部
３００  アクセス端末
３０１  サービス要求受付部
３０２  サービス要求処理部
３０３  再アクセス要求処理部
１００１，１００８，１００９  ＡＰ装置管理データ
１００５  ユーザグループ管理データ
１００６  ユーザ管理データ
【図１】
2007243803.tif 000003
【図２】
2007243803.tif 000004
【図３】
2007243803.tif 000005
【図４】
2007243803.tif 000006
【図５】
2007243803.tif 000007
【図６】
2007243803.tif 000008
【図７】
2007243803.tif 000009
【図８】
2007243803.tif 000010
【図９】
2007243803.tif 000011
【図１０−１】
2007243803.tif 000012
【図１０−２】
2007243803.tif 000013
【図１０−３】
2007243803.tif 000014
【図１１】
2007243803.tif 000015
【図１２】
2007243803.tif 000016